(57)【特許請求の範囲】
【請求項１】
フイルム出入り口を閉鎖する閉じ位置と開放する開き位置との間で回動自在な遮光蓋を備えたフイルムカートリッジが収納されるカートリッジ室の上面に、回動自在に組み付けられて遮光蓋の端部に係合する駆動軸と、この駆動軸と一体に形成されカートリッジ室上面に配置される係止レバーと、駆動軸を遮光蓋の閉じ位置に向けて付勢するバネと、該カートリッジ室の側方に上下方向でスライド自在に組み付けられ、上端部でバネの付勢に抗して遮光蓋の開き位置にある係止レバーを保持し、下端部がカートリッジ室の底面を覆う底蓋に一体に形成された係合爪に係止される連結棒とからなる遮光蓋回動機構を備えたレンズ付きフイルムユニットにおいて、
前記連結棒は、幅方向で挟み込むように配置された少なくとも一対の爪部材によって中間部付近が保持され、該連結棒の上端部は、遮光蓋の閉じ位置から開き位置に向けて回動される係止レバーに押圧されて、係止レバーの通過を許容する方向に弾性変形されることを特徴とするレンズ付きフイルムユニット。
【請求項２】
前記連結棒は、爪部材の保持位置よりも上方の両側面に爪部材に当接する突起がそれぞれ形成され、これらの突起の間に、連結棒が下方にスライドされたときに撓んで、突起と爪部材との当接を解除させるスリットが設けられていることを特徴とする請求項１記載のレンズ付きフイルムユニット。
【請求項３】
前記カートリッジ室の上面には、遮光蓋の閉じ位置に回動された係止レバーに当接して保持するストッパーが設けられていることを特徴とする請求項１又は２いずれか記載レンズ付きフイルムユニット。
【請求項４】
前記係止レバーと連結棒の上端部とのそれぞれの当接部分には、互いに対面しない位置で凸部が設けられ、連結棒がバネの付勢に抗して遮光蓋の開き位置に係止レバーを保持する際に、各凸部同士が係合されることを特徴とする請求項１ないし３いずれか記載のレンズ付きフイルムユニット。
【請求項５】
前記底蓋は、カートリッジ室の底面を包み込む遮光壁が外周縁に沿って立設されており、この遮光壁は、底蓋の開放によって連結棒が下方にスライドして係止レバーの開き位置での保持を解除するまで、カートリッジ室の底面を光密に遮光し続ける高さを有することを特徴とする請求項１ないし４いずれか記載のレンズ付きフイルムユニット。
【請求項６】
前記連結棒の下端部の前面側に、該下端部に当接して前面側への撓みを防止するとともに、底蓋開放時に連結棒の下端部を介して底蓋の係合爪を押圧して破壊する突出片を設けたことを特徴とする請求項１ないし５いずれか記載のレンズ付きフイルムユニット。
【請求項７】
フイルム出入り口を閉鎖する閉じ位置と開放する開き位置との間で回動自在な遮光蓋を備えたフイルムカートリッジが収納されるカートリッジ室と、フイルムカートリッジから引き出された写真フイルムをロール状に巻いたフイルムロールが収納されるフイルムロール室と、該カートリッジ室の上面に回動自在に組み付けられて遮光蓋の端部に係合する駆動軸と、この駆動軸を遮光蓋の閉じ位置に向けて付勢するバネとからなる遮光蓋回動機構と、カートリッジ室とフイルムロール室との背面側に組み付けられる後カバーとを備えたレンズ付きフイルムユニットへのフイルムカートリッジ装填方法において、
前記駆動軸とバネとをカートリッジ室上面に組み付け、駆動軸をバネの付勢に抗して遮光蓋の開き位置に向けて回動させて仮止めし、遮光蓋が開き位置に回動された状態のフイルムカートリッジを暗室内でカートリッジ室の底面側から軸方向に装填することを特徴とするレンズ付きフイルムユニットへのフイルムカートリッジ装填方法。
【請求項８】
前記フイルムロールは、暗室内で巻取り軸に巻き付けられてフイルムカートリッジよりもレンズ付きフイルムユニットの背面側から離れた位置に配置されており、該フイルムカートリッジがカートリッジ室に軸方向に装填された後に背面側からフイルムロール室に装填され、暗室内で後カバーが組み付けられた後に巻取り軸が抜き取られて巻緩められることを特徴とする請求項７記載のレンズ付きフイルムユニットへのフイルムカートリッジの装填方法。
【発明の詳細な説明】
【０００１】
【発明の属する技術分野】
本発明は、フイルムカートリッジが用いられるレンズ付きフイルムユニットと、フイルムカートリッジの装填方法とに関するものである。
【０００２】
【従来の技術】
当技術分野で提案され、雑誌「写真工業」（（株）写真工業出版社  1994年12月号  ｐ．11）にも紹介されたＡＰＳ（Advanced Photo System)対応のフイルムカートリッジは、カートリッジ本体にプラスチックが用いられ、さらにフイルム出入り口の遮光に従来のテレンプに代えて、フイルム出入り口を開放する開き位置とフイルム出入り口を閉鎖して遮光する閉じ位置との間で回動自在とされたプラスチック製の遮光蓋が用いられている。この遮光蓋は、フイルムカートリッジがカメラに装填されるとカメラ内部の機構によって開き位置に回動され、カメラから取り出す際には閉じ位置に回動される。
【０００３】
上記フイルムカートリッジは小型，軽量であるため、メーカーでの製造段階で写真フイルムが装填して販売されるレンズ付きフイルムユニットに装填するという提案が各種なされている。このようなレンズ付きフイルムユニットは、従来の１３５サイズの写真フイルムパトローネが装填されるレンズ付きフイルムユニットと同様に、フイルムカートリッジが収納されるカートリッジ室と、ロール状に巻かれた写真フイルムが収納されるフイルムロール室とが一体に形成された本体基部と、フイルムカートリッジのスプールに係合される巻上げダイヤルと、各種撮影機構が組み込まれ本体基部の前面に組み付けられる露光ユニットと、本体基部の前面及び背面側を覆う前カバー及び後カバーとから構成されている。
【０００４】
また、上記のようなフイルムカートリッジを用いたレンズ付きフイルムユニットでは、使用後のフイルムカートリッジの取出し作業の効率を向上させるために、カートリッジ室の底面を光密に覆う底蓋の開放に連動して、遮光蓋を自動的に閉じるようにした遮光蓋回動機構を設けたものがある。
【０００５】
上記遮光蓋回動機構は、カートリッジ室の上面に軸支されて遮光蓋の端部に係合する駆動軸と、この駆動軸と一体に形成されカートリッジ室上面に配置される係止レバーと、駆動軸を遮光蓋の閉じ方向に付勢するバネと、係止レバーを遮光蓋の開き位置に保持する連結棒とからなる。連結棒は、カートリッジ室と露光ユニットとの間に上下方向でスライド自在に組み付けられ、カートリッジ室上面から突出された上端部で係止レバーをバネの付勢に抗して遮光蓋の開き位置に保持する。また、連結棒の下端部は底蓋に一体に形成された係合爪に係止されており、底蓋が開放されると連結棒が下方にスライドされ、上端部での係止レバーの保持が解除されて駆動軸がバネ付勢により遮光蓋の閉じ位置に向けて回動される。
【０００６】
このように、カートリッジ室に収納されたフイルムカートリッジには、巻上げダイヤルと遮光蓋回動機構の駆動軸とが係合されるため、カートリッジ室へのフイルムカートリッジの装填は、従来のレンズ付きフイルムユニットと同様にカートリッジ室の底面側から軸方向に挿入する必要がある。また、フイルムカートリッジから引き出された写真フイルムは、巻取り軸等に巻き付けてロール状にし、フイルムロール室に背面側から装填するのが適している。
【０００７】
【発明が解決しようとする課題】
上記レンズ付きフイルムユニットは、従来のレンズ付きフイルムユニットには無かった部品が多数組み込まれることから、製造効率を考慮して各部の組付け順序や組付け方法等を工夫する必要がある。特に、遮光蓋回動機構の組み付けでは、フイルムカートリッジのカートリッジ室への装填に先立って、駆動軸を遮光蓋の開き位置にセットしておく必要がある。
【０００８】
遮光蓋回動機構の組付け方法としては、最初に連結棒を上端部がカートリッジ室の上面から突出されるように組み付け、係止レバーを連結棒に当接させながらバネの付勢に抗して駆動軸をカートリッジ室の上面に組み込むという順序が考えられる。しかしながら、この組付け時に駆動軸やバネの保持がきちんと行われていないと、駆動軸がバネによって抜け飛んでしまうという問題がある。また、このような組付け方法では自動化することが難しいという問題もある。
【０００９】
更に、駆動軸をバネの付勢に抗して連結棒で保持させることができても、連結棒がバネの強い付勢力によって撓み、組付け状態が不安定になった駆動軸がカートリッジ室上面から抜け飛んでしまうという問題もある。また、レンズ付きフイルムユニットの組立て中に、本体基部に加えられる振動や衝撃等によって連結棒が組み付け位置から下方に滑り落ちてしまい、やはり連結棒による係止レバーの保持が解除されてしまうという問題もあった。
【００１０】
更に、連結棒は底蓋の開放によって下方にスライドされるため、連結棒が完全に下方にスライドされて遮光蓋が閉じられるまで、カートリッジ室の底面は底蓋によって遮光されていなければならない。
【００１１】
本発明は、上記各問題を解決するためのもので、遮光蓋が開き位置に回動された状態のフイルムカートリッジをカートリッジ室の底面側から軸方向に装填できるようにした、レンズ付きフイルムユニットと、フイルムカートリッジの装填方法とを提供することを目的とする。
【００１２】
【課題を解決するための手段】
上記問題点を解決するために、本発明では、駆動軸とバネとをカートリッジ室の上面に組み付け、駆動軸をバネの付勢に抗して遮光蓋の開き位置に向けて回動して仮止めし、この状態で遮光蓋が開き位置に回動されている状態のフイルムカートリッジを軸方向からカートリッジ室に装填するようにした。また、フイルムロールは背面側からフイルムロール室に装填し、後カバーが組み付けられた後に巻取り軸を抜き取ってフイルムロールを巻緩めるようにした。
【００１３】
【発明の実施の形態】
以下、添付した図面に従って、本発明を実施したレンズ付きフイルムユニットの一形態について説明する。図２に示すように、フイルムカートリッジ２は、プラスチック製の上ケース３と下ケース４とからなるカートリッジ本体５内に、写真フイルム６を巻き付けたスプール７が回動自在に収納されている。
【００１４】
スプール７の両端はカートリッジ本体５の両端面から露呈し、各々係合穴８が形成されている。係合穴８には、キー溝８ａが形成されており、係合穴８に挿入される軸のキーが嵌合される。上下ケース３，４の合わせ目の一方にはフイルム出入り口１０が設けられており、このフイルム出入り口１０を通して写真フイルム６がカートリッジ本体５内に出入りする。このフイルム出入り口１０を開閉するために、フイルム出入り口１０の奥には遮光蓋１１が組み込まれ、その両端はスプール７と同様にカートリッジ本体５の端面から露呈し、各々Ｃ字型の切欠状の係合部１２を有している。
【００１５】
図３に示すように、遮光蓋１２のフイルム出入り口１０に対する部分には板状の遮光部１４が形成されており、フイルム出入り口１０を開放する開き位置と、図４に示すようにフイルム出入り口１０を閉鎖する閉じ位置との間で回動自在とされている。
【００１６】
また、図５に示すように、上ケース３からは遮光蓋１１の回動を阻止するロックピン１６が突設されており、遮光蓋１１が開き位置にあるときには係合部１２の外周面の平面部に沿い、遮光蓋１１が不用意に閉じ位置に回動するのを阻止する。また、遮光蓋１１が閉じ位置にあるときには、図６に示すようにロックピン１６は係合部１２に当接して、不用意に遮光蓋１１が開き位置に回動するのを阻止する。遮光蓋１１が開き位置から閉じ位置に回動される際には、ロックピン１６は係合部１２に押圧されて変形し、再び弾性によってもとの位置に戻って係合部１２に当接する。また、遮光蓋１１が閉じ位置から開き位置に回動される際には、係合部１２に挿入される軸等によってロックピン１６を押圧して変形させて係合部１２との当接を外し、その状態で開き位置に回動させる。
【００１７】
カートリッジ本体５内には特開平６−２６６０５３号公報で知られるようなフイルム送出し機構が内蔵されている。そして、係合部１２を介して遮光蓋１１を開くことによってスプール７の回転ロックが解除され、係合穴８を介してスプール７を図中時計方向に回転させることによって、写真フイルム６がフイルム出入り口１０を通して頭出しされる。
【００１８】
図２に示す符号１８は、写真フイルム６の種別や撮影可能枚数がバーコードで記録されたディスクを示す。このディスク１８はスプール７と一体に回転し、カメラあるいはプリンタに設けられたバーコードリーダーによってデータ内容が読み取られる。
【００１９】
図７に示すように、写真フイルム６はフイルム自由端部６ａ，撮影領域６ｂ，フイルム係止部６ｃから構成されている。撮影領域６ｂには、一方の側縁に沿ってサイズの異なった大小２個のパーフォレーション２０，２１が２種類の間隔で交互に配列されている。パーフォレーション２０，２１は、各撮影画面２２のフイルム給送方向の先頭側と後部側とを設定するもので、レンズ付きフイルムユニットでは撮影毎に写真フイルム６をカートリッジ本体５内に巻き込んでいくことから、大パーフォレーション２０がフイルム給送方向の先頭側を、小パーフォレーション２１が後部側を示している。各パーフォレーション２０，２１は、撮影画面２２の数に対応する数だけ設けられていない。
【００２０】
フイルム係止部６ｃは端部がスプール７に係止されており、後に詳述する巻上げダイヤルの回動操作によるスプール７の回転によって、スプール７に巻き付けられる。フイルム自由端部６ａとフイルム係止部６ｃとは、撮影に用いられない領域とされており、現像処理時等に使用するための露光禁止領域となっている。そのため、フイルム自由端部６ａとフイルム係止部６ｃとは、未露光の状態でカートリッジ本体５内に巻き上げられる。
【００２１】
図示した写真フイルム６は、一般のカメラに使用される写真フイルムに追加工を施してレンズ付きフイルムユニット用としたものである。カメラ用の写真フイルムとレンズ付きフイルムユニット用の写真フイルム６との差異は、大パーフォレーション２０の大きさと、フイルム係止部６ｃの範囲内に追加された初期チャージ用の小パーフォレーション２３である。カメラ用の写真フイルムでは全てのパーフォレーションの大きさが同じ大きさとなっており、フイルム係止部６ｃ内にパーフォレーションは存在しない。なお、パーフォレーション２０ａは、カメラ用の写真フイルムにも存在する。
【００２２】
図８は、本発明を用いたレンズ付きフイルムユニットを示すものである。レンズ付きフイルムユニット２５は、予めフイルムカートリッジ２が装填され各種撮影機構が組み込まれたユニット本体２６と、このユニット本体２６を部分的に覆う外装紙２７とから構成されている。
【００２３】
ユニット本体２６の上面にはシャッタボタン２８，撮影枚数表示窓２９が、前面にはファインダ３０，撮影レンズ３１，ストロボ充電スイッチ３２，ストロボ発光部３３等が設けられている。また、背面側からは１コマの撮影毎に回動操作される巻上げダイヤル５１が露呈されている。外装紙２７は、裏面に接着剤が塗布されてユニット本体２６の中央部分に巻かれるように貼付され、撮影レンズ３１やファインダ３０，撮影枚数表示窓２９等を外部に露呈させる開口が形成されている。
【００２４】
図９に示すように、ユニット本体２６は、フイルムカートリッジ２が装填される本体基部３７と、この本体基部３７の前面に組み付けられる露光ユニット３８及びストロボユニット３９と、本体基部３７の前面側及び背面側を覆うように組み付けられる前カバー３５及び後カバー３６とから構成されており、これらは爪係合によって組み立てられる。
【００２５】
ストロボユニット３９は、ストロボ回路が設けられたプリント基板３９ａと、これに組み付けられたストロボ発光部３３とからなり、前カバー３５に設けられたストロボ充電スイッチ３２の押圧によって、スイッチ接片１００がプリント基板３９ａの接点部分に接触されることによりストロボ充電が行われ、シャッタレリーズにシンクロしてストロボ発光が行われる。また、プリント基板３９ａにはストロボユニット３９の電源となる乾電池１０１を接続する金属接片も設けられている。
【００２６】
本体基部３７の中央部には、前面側に組み付けられた露光ユニット３８から写真フイルム６までの間の撮影光路を遮光する遮光筒４１が設けられている。この遮光筒４１の背面側には、写真フイルム６への露光範囲を規定するアパーチャーが形成されており、このアパーチャーに対面するように後カバー３６にフイルム支持面３６ａが形成されている。遮光筒４１を挟む両側には、製造段階でカートリッジ本体５と、写真フイルム６がロール状に巻かれたフイルムロール４２とがそれぞれ収納される、カートリッジ室４３とフイルムロール室４４とが一体に形成されている。
【００２７】
カートリッジ室４３及びフイルムロール室４４は、本体基部３７の背面側に後カバー３６が組み付けられ、後カバー３６に一体に形成されたカートリッジ室用の底蓋４６と、フイルムロール室用の底蓋４７とが閉じられることにより、適正な遮光能が得られる。なお、底蓋４６，４７は、後カバー３６に対して屈曲自在な薄肉部４６ａ（図１参照）を介して連結されており、底蓋４６は使用後のレンズ付きフイルムユニット２５からフイルムカートリッジ２を取り出す際に開放される。また、底蓋４６の外周縁には、カートリッジ室４３の底面を包み込んで覆うための遮光壁４８が立設されている。
【００２８】
図１に示すように、カートリッジ室４３の上面４９に形成された軸受け部５０には、巻上げダイヤル５１が回動自在に取り付けられる。巻上げダイヤル５１の外周面にはギヤ５０ａが形成されており、回動操作（図中反時計方向）する際の指掛りがしやすくなっている。また、このギヤ５０ａには巻上げダイヤル５１の逆方向（図中時計方向）への回動を阻止する逆止爪５２が噛合される他、露光ユニット３８に組み込まれ写真フイルム６の１コマ送り毎に巻上げダイヤル５１の回動をロックするロック爪が噛合される。
【００２９】
巻上げダイヤル５１の下面には、カートリッジ室４３に装填されたカートリッジ本体５のスプール７の係合穴８に係合する係合軸５３が一体に形成されている。この係合軸５３は、円柱状の軸にキー５３ａが一体に形成されたもので、キー５３ａはスプール７の係合穴８のキー溝８ａに嵌合される。また、巻上げダイヤル５１の上面には、円錐状の凹部５４が形成されている。この凹部５４は、巻上げダイヤル５１の上方に配置されるシャッタボタン２８の押圧ストロークを増すためのものである。
【００３０】
更に、凹部５４内には係合部である一対の突起５５が設けられている。この突起対５５は、カートリッジ室４３にカートリッジ本体５が装填された後に、軸受け部５０に巻上げノブ５１を組み付ける際に、係合軸５３が係合穴８に嵌合する位置を探るために巻上げダイヤル５１を回転させる外部機器の駆動軸が係合される。
【００３１】
巻上げダイヤル５１は、シャッタボタン２８の押圧による１コマの撮影ごとに図中反時計方向に回動操作され、巻上げダイヤル５１にロックが掛かるまでのスプール７の回転によって、撮影画面１コマ分の写真フイルム６がカートリッジ本体５に巻き込まれる。
【００３２】
カートリッジ室４３の上面４９には、巻上げダイヤル５１の他に、遮光蓋回動機構を構成する駆動軸５７が組み付けられる。駆動軸５７は、上面４９に形成された軸受け部５８に回動自在に挿入され、カートリッジ室４３内に装填されたカートリッジ本体５の遮光蓋１１の係合部１２に係合される。駆動軸５７の上部には、同様に遮光蓋回動機構を構成する係止レバー５９と、バネ６０を保持するためのバネ保持部６１が一体に形成されている。
【００３３】
上記バネ６０は、両端部が放射状に突出された捩じりバネであり、コイル部６０ａはバネ保持部６１に組み付けられ、一端６０ｂは係止レバー５９上に形成された係止突起６２に係止され、他端６０ｃは上面４９に突設された係止突起６３に係止され、駆動軸５７を遮光蓋１１の閉じ位置方向である図中反時計方向に向けて付勢する。このバネ６０は、遮光蓋１１をすばやく閉じ位置に回動させるために、付勢力の強いものとされている。
【００３４】
なお、カートリッジ室４３の上面４９に形成された突条６４，６５は、巻上げダイヤル５１の下方に駆動軸５７やバネ６０の組み付けスペースを形成するとともに、巻上げダイヤル５１の下面を支持して回動操作を安定化させるためのものである。
【００３５】
カートリッジ室４３と遮光筒４１との間には、遮光蓋回動機構を構成する連結棒６８を上下方向でスライド自在に保持するレール部６９が形成されている。連結棒６８の上端部には、駆動軸５７が遮光蓋１１の開き位置にある際の係止レバー５９をバネ６０の付勢に抗して保持するレバー保持部７０が形成され、下端部には底蓋４６の内面に突設された係合爪７１に係合される被係合爪７２が形成されている。なお、被係合爪７２が前面側に屈曲されているのは、被係合爪７２とレール部６９との間に係合爪７１が入り込むためである。
【００３６】
また、連結棒６８の中間部分には、両側面に一対の突起７３が突設されており、これらの突起７３の間には上下方向に延ばされたスリット７４が形成されている。更に、突起７３の下方には、レール部６９内での連結棒６８の上下方向のスライド量を規制するとともに、本体基部３７への組付け時に連結棒６８を保持するための保持部７５が設けられている。この保持部７５は、一方の側面７５ａが連結棒６８の側面から突出されている。
【００３７】
レール部６９は、カートリッジ室４３の側壁４３ａと、この側壁から連結棒６８の幅よりも若干離して立設されたレール壁７７とからなり、これらの間に連結棒６８が収められる。側壁４３ａとレール壁７３とには、連結棒６８を上下方向でスライド自在に保持する２対の爪部材７８，７９が一体に形成されている。これらの爪部材７８，７９の間にはレール壁７７が設けられておらず、連結棒６８の保持部７５が収められるようになっている。また、爪部材７８の根元部７８ａは、レール部６９内に僅かに突出されている。
【００３８】
図１０に示すように、連結棒６８は、突起７３が爪部材７８の上方に位置し、保持部７５が爪部材７８と爪部材７９との間に収められるように、レール部６９に爪部材７８，７９によって組み付けられる。このように連結棒６８は、保持部７５と爪部材７８との当接により上方へのスライドが規制され、また、突起７３と爪部材７８の根元部７８ａとの当接により下方へ滑り落ちるようなことはなく、正確に位置合わせして組み付けることができる。組付け時の連結棒６８は、図１１に示すように、レバー保持部７０がカートリッジ室４３の上面４９の上方に突出され、図１２に示すように、バネ６０の付勢に抗して遮光蓋１１の開き位置に回動された状態の係止レバー５９がレバー保持部７０に当接される。
【００３９】
係止レバー５９とレバー保持部７０とには、それぞれ対面しない位置で凸部５９ａ，７０ａが突設されており、係止レバー５９がレバー保持部７０に当接すると、凸部５９ａ，７０ａ同士が係合するようになっている。これにより、連結棒６８が係止レバー５９から逃げる方向に撓むことはないので、駆動軸５７を遮光蓋１１の開き位置に確実に保持しておくことができる。なお、レバー保持部７０に形成されている斜面７０ｂは、駆動軸５７と連結棒６８とをそれぞれカートリッジ室４３に組み付けてから、係止レバー５９とレバー保持部７０とを係合させる際に、係止レバー５９の押圧によって連結棒６８の上端側を前面側に撓ませる際に用いられる。
【００４０】
連結棒６８が所定の位置に組み付けられた状態で、カートリッジ室４３の底面を塞ぐように底蓋４６を薄肉部４６ａで屈曲させて閉じると、底蓋４６の係合爪７１がレール部６９と被係合爪７２との間に入り込んで係合する。この時に、被係合爪７２が必要以上に前面側に撓んで塑性変形したりしないように、係合爪７１の前方には被係合爪７２の前面側を押さえる押さえ壁８１が設けられている。また、押さえ壁８１の上方に配置されている符号８２は、前カバー３５の内面の被係合爪７２に対面する位置から背面側に突設された突出片であり、この突出片８２も押さえ壁８１と同様の作用を有している。
【００４１】
閉じられた底蓋４６は、遮光壁４８上に形成された２個の爪部材８４，８５が前カバー３５の内面に係止されることにより完全に閉じられる。これにより、カートリッジ室４３の底面は遮光壁４８で包み込まれるので、カートリッジ室４３内は光密に遮光される。
【００４２】
底蓋４６は、レンズ付きフイルムユニット２５の使用終了後にフイルムカートリッジ２をカートリッジ室４３から取り出すために開放される。図１３に示すように、底蓋４６が薄肉部４６ａで屈曲されながら開放されると、係合爪７２と被係合爪７１との係合によって連結棒６８が下方に引っ張られる。この時に、連結棒６８では突起７３が爪部材７８に引っ掛かって下方へのスライドが規制されるが、スリット７４が撓むことにより突起７３は爪部材７８を通過することができるようになり、連結棒６８は保持部７５が爪部材７９に当接する位置まで下方にスライドされる。
【００４３】
連結棒６８が下方にスライドされると、連結棒６８のレバー保持部７０がカートリッジ室上面４９の下方に移動する。これにより、図１４に示すように、係止レバー５９の遮光蓋１１の開き位置での保持が解除され、駆動軸５７はバネ６０の付勢によって遮光蓋１１の閉じ位置である図中反時計方向に回動される。この際に、駆動軸５７に係合された遮光蓋１１も閉じ位置に回動される。なお、遮光蓋１１の閉じ位置に向けて回動された駆動軸５７は、逆止爪５２の根元に形成された突起状のストッパー８７に係止レバー５９が当接して停止される。このストッパー８７は、駆動軸５７を遮光蓋１１の閉じ位置で停止するように配置されているので、遮光蓋１１の係合部１２に必要以上に負荷が掛かって破損するようなことはない。
【００４４】
なお、図１１に示すように、底蓋４６の遮光壁４８の高さＬ１は、連結棒６８のレバー保持部７０のカートリッジ室上面４９からの突出量Ｌ２よりも十分高くされており、底蓋４６の開放に伴ってレバー保持部７０がカートリッジ室上面４９の下方に移動した時点でも、カートリッジ室４３の底面を包み込んで光密に遮光し続ける。
【００４５】
図１５に示すように、フイルムカートリッジ２の遮光蓋１１が閉じられた後に更に底蓋４６を開放すると、保持部７５が爪部材７９に当接していることから連結棒６８は下方にスライドすることができないので、被係合爪７２は係合爪７１に押圧されて前面側に撓み始める。しかしながら、被係合爪７２が前面側に僅かに撓むと前カバー３５の突出片８２に当接するので、係合爪７１は被係合爪７２を介して突出片８２に押圧されることになる。これにより、被係合爪７２よりも細い係合爪７１が破壊され、使用済みのレンズ付きフイルムユニット２５に新たにフイルムカートリッジを装填して再使用することができなくなる。
【００４６】
図９に示すように、露光ユニット３８は従来のレンズ付きフイルムユニットと同様に、シャッタチャージ機構，フイルム巻止め機構，カウンタ送り機構，シャッタ駆動機構及びシャッタ羽根，撮影レンズ３１等を含む他、ファインダ３０を構成する対物レンズと接眼レンズとがユニット化されている。また、露光ユニット３８に組み付けられた各部材を上方から軸支する保持板８８には、駆動軸５７のバネ保持部６１を上方から押さえて抜け止めを行う、押さえ部８８ａが形成されている。
【００４７】
この露光ユニット３８には、図１６に示すようなスプロケット８９と、このスプロケット８９に嵌合されて同軸で回動される複数のカムが一体に形成されたカム部材９０とが組み込まれている。スプロケット８９は、遮光筒４１の上部に形成された開口９２を通して背面側のフイルムレール面９３（図１７参照）から突出され、写真フイルム６のパーフォレーション２０，２１に噛合される。そして、写真フイルム６の１コマ分の巻上げ移送により半回転される。カム部材９０はスプロケット８９と一緒に半回転し、チャージカム９０ａによりシャッタチャージを行い、巻止めカム９０ｂによりフイルム巻止めを行い、二歯ギヤ９０ｃによりカウンタ送りを行う。
【００４８】
スプロケット８９は、外周面８９ａに写真フイルム６の大パーフォレーション２０に噛合する大歯９５と、小パーフォレーション２１に噛合する小歯９６とが回転対称で２対設けられている。大歯９５の内部が切り欠かれているのは、レンズ付きフイルムユニット２５に、全てのパーフォレーションの大きさが小パーフォレーション２１と同一である一般のカメラ用の写真フイルムを詰め替えようとする際に、大歯９５が小パーフォレーション２１に噛合できる大きさに削られるのを防止するためである。
【００４９】
上記スプロケット８９は二対の歯の間の間隔が大きいため、回動途中で写真フイルム６のパーフォレーション２０，２１に噛合できなくなる瞬間がある。そのためカム部材９０には、小歯９６を小パーフォレーション２１に噛合可能な位置まで移動させるための付勢カム９０ｄが設けられている。この付勢カム９０ｄは、スプロケット８９の歯の間隔の広い部分がフイルムレール面９３に対面した際に、露光ユニット３８に組み付けられている金属製の板バネ９８によってスプロケット８９の従動方向に押圧され、嵌合されたスプロケット８９を回動させる。
【００５０】
図１７に示すように、本実施形態のレンズ付きフイルムユニット２５では、スプロケット８９の大歯９５がフイルムレール面９３から突出されているときが、シャッタチャージ状態あるいはシャッタレリーズ直後となっている。そのため、大パーフォレーション２０を大歯９５に噛合させた状態で写真フイルム６をレンズ付きフイルムユニット２５に装填すると、完成したレンズ付きフイルムユニット２５はシャッタチャージ状態あるいはシャッタレリーズ直後の状態となってしまう。
【００５１】
これでは、販売時に袋詰めされるレンズ付きフイルムユニット２５が包装袋内で振動等でシャッタレリーズしてしまったり、また購入したユーザーがシャッタチャージのために写真フイルム６の巻き上げを行うことによって、写真フイルム６が１コマ分移送され無駄になってしまうという問題がある。
【００５２】
そのため本実施形態では、図１８に示すように、大歯９５がフイルムレール面９３内に引っ込み、小歯９６が小パーフォレーション２１を待ち受ける状態にスプロケット８９を回動させた状態で、露光ユニット３８を本体基部３７に組み付けるようにし、また写真フイルム６は、図７に示すように、フイルム係止部６ｃの初期チャージ用の小パーフォレーション２３よりもカートリッジ本体５側の部分がスプロケット８９に対面するように装填する。
【００５３】
これによれば、ユーザーがシャッタチャージのためにフイルム巻上げを行うと、写真フイルム６の移送により小パーフォレーション２３が小歯９６に到達して噛合し、スプロケット８９が写真フイルム６の移送により回動されて大歯９５が次の大パーフォレーション２０に噛合しシャッタチャージが完了するようになるので、写真フイルム６が無駄に使用されることはない。
【００５４】
なお、小歯９６が写真フイルム６の平面部に押圧されると、スプロケット８９は逆方向に回動して小歯９６をフイルムレール面９３内に引っ込めるので、フイルム係止部６ｃのフイルム移送には何ら支障ない。また、小パーフォレーション２３が小歯９６の位置に到達すると、板バネ９８の付勢によって小歯９６が再びフイルムレール面９３から突出されるので、小歯９６と小パーフォレーション２３とは確実に噛合できる。
【００５５】
上記レンズ付きフイルムユニット２５へのフイルムカートリッジ２の装填は、図２１及び２２に示すフイルム装填装置１１２によって行われる。なお、ダイヤル位置調節装置１１３は、スプール７の係合穴８の状態に合わせて巻上げダイヤル５１をカートリッジ室上面４９に組み付ける装置である。このフイルム装填時には、本体基部３７は前面側を下に向けた状態でパレット１０５上に載置され、保持枠１０６，１０７によって位置決めされる。
【００５６】
フイルム装填装置１１２は、カートリッジ本体５を保持するカートリッジ保持部１０９と、フイルム出入り口１０から引き出された写真フイルム６をロール状に巻いてフイルムロール４２とする巻取り軸１１０と、写真フイルム６をガイドするガイド軸１１１からなる。
【００５７】
カートリッジ保持部１０９は、カートリッジ本体５を受け取るカートリッジ供給位置と、本体基部３７に向かって底面側から直進し、カートリッジ本体５をカートリッジ室４３の底面側から軸方向に挿入する装填位置との間をエアシリンダ等によって移動自在とされている。また、カートリッジ本体５の保持はエア吸引等によって行うようになっている。
【００５８】
カートリッジ保持部１０９内には、図示しないが遮光蓋１１の係合部１２に係合して開き位置に回動させる駆動軸と、スプール７の係合穴８に係合してフイルム送出し方向に回転する駆動軸とが設けられている。なお、図２２は図面の煩雑化を避けるために、カートリッジ保持部１０９の記載を省略している。
【００５９】
巻取り軸１１０は、カートリッジ室４３とフイルムロール室４４との間の距離と同じ距離だけ離れてカートリッジ本体５のフイルム出入り口１０に対面する巻取り・装填位置と、カートリッジ保持部１０９の上方に配置される装填予備位置との間を、ガイド軸１１１を中心にエアシリンダ等によって回動される。ガイド軸１１１は、巻取り軸１１０の移動時に、フイルム出入り口１０のエッジによって写真フイルム６が傷つかないようにガイドする。
【００６０】
巻取り軸１１０の先端部分には、写真フイルム６の先端を挟み込むスリット１１０ａが形成されており、巻取り・装填位置でスリット１１０ａに写真フイルム６の先端が差し込まれ、回転することにより外周に写真フイルム６を巻き取ってフイルムロール４２を形成する。また、巻取り軸１１０の直径Ｄは１１ｍｍ以下となっているため、当然、巻取り軸１１０に巻き付けられている状態のフイルムロール４２の内径も１１ｍｍ以下となり、フイルムロール４２の外径はフイルムロール室４４の内径よりも小さくなる。
【００６１】
なお、フイルムロール４２をフイルムロール室４４よりも小径にして装填するのは、フイルムロール室４４への装填を容易にするためであり、フイルムロール室４４の側壁には、装填予備位置から巻取り・装填位置に向けて巻取り軸１１０が移動される際に、フイルムロール４２が干渉しないように切欠４４ｂが形成されている。また、写真フイルム６は、フイルムロール４２の内径が１１ｍｍ以下であると巻癖がついてしまうという問題がある。そのため、本実施形態ではフイルムロール４２をフイルムロール室４４に装填した後に巻緩めさせて、内径が１１ｍｍ以上となるようにしている。
【００６２】
フイルムロール４２の巻緩ませは、巻取り軸１１０を抜く際に僅かに逆方向に回動させたり、装填後にレンズ付きフイルムユニットに振動や衝撃を与えたりすることによって行う。
【００６３】
フイルム装填装置１１２は、巻取り軸１１０が装填予備位置に配置された状態で本体基部３７の底面側に向かって直進される。そして、カートリッジ室４３にカートリッジ本体５が装填され、巻取り軸１１０が巻取り・装填位置に移動されることにより、フイルムロール４２がフイルムロール室４４に背面側から装填される。また、フイルムロール４２とカートリッジ本体５との間の写真フイルム６は、フイルムレール面９３上に配置される。
【００６４】
フイルムレール面９３上に配置される写真フイルム６は、初期チャージ用の小パーフォレーション２３がスプロケット８９よりもフイルム移送方向の下流側に配置されるように、予め巻取り軸１１０での写真フイルム６の巻取り量が調節されている。また、巻取り軸１１０をフイルムロール室４４に挿入した後に、巻取り軸１１０を回転させて小パーフォレーション２３の位置を調節することもできる。
【００６５】
ダイヤル位置調節装置１１３は、巻上げダイヤル５１をエア吸引によって保持して係合する駆動軸１１５と、この駆動軸１１５を回動させる駆動装置（図示せず）とからなる。駆動軸１１５は、先端部分に巻上げダイヤル５１の上面に形成された突起対５５に係合する一対の溝１１６と、吸引穴１１７とが形成されている。この駆動軸１１５は、供給された巻上げダイヤル５１を受け取る位置と、カートリッジ室上面４９の軸受け部５０に巻上げダイヤル５１を組み付ける位置との間で、エアシリンダ等によって移動自在とされている。
【００６６】
駆動軸１１５は、供給された巻上げダイヤル５１を吸引穴１１７によって吸引するとともに、溝１１６と突起対５５とを係合させる。そして、カートリッジ室４３にカートリッジ本体５が装填された後に、巻上げダイヤル５１を軸受け部５０に組み付ける位置に移動される。この時に、駆動軸１１５は巻上げダイヤル５１を弱い力でスプール７に押し付けながら、係合軸５３が係合穴８に合致する位置を探るために、巻上げダイヤル５１のフイルム巻上げ方向に回転する。そして、係合軸５３と係合穴８とが合致すると、巻上げダイヤル５１は所定の位置まで押し込まれる。係合軸５３と係合穴８との係合状態は、本体基部３７の背面側から巻上げダイヤルとカートリッジ室４３の端面との隙間をセンサー等で検出することにより確認できる。
【００６７】
次に、以上で説明したレンズ付きフイルムユニットの製造工程について説明する。本体基部３７は、背面側が下に向けられた状態でパレット等に保持されて組立てライン上を搬送される。この本体基部３７の搬送途中にある連結棒組付け工程において、連結棒６８がレール部６９に組み付けられる。
【００６８】
連結棒６８は、保持部７５がロボットアーム等によって保持されて、図１０及び１１に示すように、突起７３が爪部材７８の上部に配置され、保持部７５が爪部材７８，７９の間に収められ、レバー保持部７０がカートリッジ室上面４９の上方に突出されるように、本体基部３７の前面側からレール部６９に挿入され、爪部材７８，７９によって係止される。このように連結棒６８は、突起７３と保持部７５とによって正確に位置決めして組み付けられ、更に組み付け後には振動や衝撃等で不用意に動いてしまうこともない。
【００６９】
連結棒６８が取り付けられた本体基部３７は、次に駆動軸５７とバネ６０とが組み付けられる駆動軸組付け工程に送られる。連結棒５７は、カートリッジ室上面４９に形成された軸受け部５８に組み付けられる。そして、その上部のバネ保持部６１には、バネ６０が組み付けられるとともに各端部６０ｂ，６０ｃが係止突起６３，６２に掛けられる。これにより、図１４に示すように駆動軸５７はバネ６０に付勢され、係止レバー５９がストッパー８７に当接して、遮光蓋１１の閉じ位置に合致する位置で保持される。
【００７０】
遮光蓋回動機構が組み付けられた本体基部３７は、駆動軸係止工程に送られる。この工程では、図１９に示すように、カートリッジ室４３の上面に組み付けられた駆動軸５７が、バネ６０の付勢に抗して時計方向に回動され、その回動途中で係止レバー５９によって連結棒６８のレバー保持部７０の斜面７０ｂを押圧する。レバー保持部７０は、斜面７０ｂが押圧されることによって、図２０に示すように、爪部材７８に保持されていない上部側が前面側に撓まされる。これにより、係止レバー５９は連結棒６８を通過することができる。
【００７１】
係止レバー５９が通過した後の連結棒６８は、自身の弾性によって元の位置に復帰するので、駆動軸５７の回動を停止することにより、バネ６０によって遮光蓋１１の閉じ位置に向けて付勢された係止レバー５９と、連結棒６８のレバー保持部７０とが当接される。
【００７２】
図１２に示すように、当接された係止レバー５９とレバー保持部７０とでは、それぞれの凸部５９ａと凸部７０ａとが係合するので、連結棒６８が係止レバー５９の押圧によって撓んでしまうことはなく、駆動軸５７は確実に遮光蓋１１の開き位置に保持される。
【００７３】
駆動軸５７，バネ６０，連結棒６８からなる遮光蓋回動機構が遮光蓋の開き位置に合致する状態で組み込まれた本体基部３７は、次に露光ユニット３８が組み付けられる工程に送られる。露光ユニット３８は、シャッタチャージがなされておらず、図１８に示すようにスプロケット８９が、小歯９６のみがフイルムレール面９３から突出されるように回動された状態で、遮光筒４１の前面に爪係合される。露光ユニット３８が本体基部３７に組み付けられると、保持板８８の押さえ部８８ａ（図９参照）が駆動軸５７のバネ保持部６１を上方から押さえるので、駆動軸５７が抜けてしまうようなことはない。
【００７４】
また、露光ユニット３８の組み付けの後に、ストロボ内蔵タイプのレンズ付きフイルムユニットでは、ストロボユニット３９が本体基部３７の前面側に組み付けられる。
【００７５】
遮光蓋回動機構，露光ユニット３８，ストロボユニット３９が組み付けられた本体基部３７は、図２１及び２２に示すように、カートリッジ本体５及び写真フイルム６が装填され、巻上げダイヤル５１が組み付けられるフイルム装填工程に送られる。このフイルム装填工程は暗室内に配置されており、本体基部３７は前面側を下に向けた状態でパレット１０５上に載置され、保持枠１０６，１０７によって位置決めされる。
【００７６】
フイルム装填装置１１２では、カートリッジ保持部１０９がカートリッジ供給位置でフイルムカートリッジ２を受け取ってエア吸引等により保持し、内蔵された各駆動軸で遮光蓋１１を開き位置に回動させ、スプール７をフイルム送出し方向に回動させ、写真フイルム６をフイルム出入り口１０から送り出す。カートリッジ本体５から送り出された写真フイルム６は、フイルム出入り口１０に対面する巻取り・装填位置に配置された巻取り軸１１０のスリット１１０ａ内に先端が挿入される。
【００７７】
写真フイルム６の先端がスリット１１０ａ内に挿入されると、巻取り軸１１０は図中反時計方向に回転され、直径Ｄが１１ｍｍ以下の外周に写真フイルム６を巻き付け、内径１１ｍｍ以下のフイルムロール４２を作成する。この写真フイルム６の巻取り時に、巻取り軸１１０は、初期チャージ用の小パーフォレーション２３がフイルムロール４２に近接して配置されるように巻取り量を調節する。
【００７８】
フイルム装填装置１１２は、巻取り軸１１０を装填予備位置に移動してから、本体基部３７の底面側に向かって直進される。これによりカートリッジ本体５はカートリッジ室４３に底面側から軸方向に装填され、遮光蓋１１と駆動軸５７とが係合する。なお、フイルムロールは４２はカートリッジ本体５よりも上方に配置されているので、カートリッジ室４３等に干渉することはない。
【００７９】
カートリッジ本体５のカートリッジ室４３への装填が完了すると、巻取り軸１１０が巻取り・装填位置に移動される。これにより、フイルムロール４２がフイルムロール室４４に背面側から装填され、フイルムロール４２とカートリッジ本体５との間の写真フイルム６は、小パーフォレーション２３がスプロケット８９よりもフイルム移送方向の下流側のフイルムレール面９３上に配置される。
【００８０】
次に本体基部３７には、巻上げダイヤル５１が組み付けられる。ダイヤル位置調節装置１１３では、巻上げダイヤル５１を駆動軸１１５によって保持，係合し、カートリッジ室４３に向かって直進して軸受け部５０に係合軸５３を挿入する。そして、駆動軸１１５をフイルム巻上げ方向に回動させ、係合軸５３が係合穴８に嵌合する位置を探る。なお、巻上げダイヤル５１を軸受け部５０に真っ直ぐに組み付ける際に逆止爪５２が邪魔になるので、組み付け時には逆止爪５２を押圧して変位させておく。
【００８１】
本体基部３７への後カバー３６の組み付けは、フイルム装填と同位置で行われる。後カバー３６は、本体基部３７の背面側に爪係合され、カートリッジ室４３，フイルムロール室４４，フイルムレール面９３を覆う。
【００８２】
後カバー３６が組み付けられた後に、カートリッジ保持部１０９はカートリッジ本体５の保持を停止し、巻取り軸１１０とともに本体基部３７の底面側から軸方向に離れる方向へ移動する。これにより巻取り軸１１０がフイルムロール室４４から抜き取られるが、フイルムロール４２はフイルムロール室４４の底面側に形成された底板４４ａと、後カバー３６の底蓋４７の上部に形成された底板３６ｂ（図９参照）とにより端面が押さえられてフイルムロール室４２に残される。そして、フイルムロール４２は、外周がフイルムロール室４４の内径いっぱいに巻緩められ、内径が１１ｍｍ以上となるので、フイルムロール室４４内の写真フイルム６に巻癖等はつかない。
【００８３】
後カバー３６が組み付けられた本体基部３７は、前カバー組付け工程に送られ、後カバー３６を下にしてパレット上に載置される。そして、前面側からストロボユニット３９用の乾電池１０１が装填され、前カバー３５が組み付けられる。この前カバー３５の組み付けにより、前カバー３５の内面に形成された突出片８２が、連結棒８６の被係合爪７２の前面側に配置される。
【００８４】
最後に、前カバー３５の内面に係止される底蓋４６，４７を閉じ、底蓋４６に形成された係合爪７１と、連結棒８６の被係合爪７２とを係合することによりユニット本体２６が完成する。完成したユニット本体２６は、各種検査の後に外装紙２７が貼着され、包装袋等に包装されてレンズ付きフイルムユニット２５として販売される。
【００８５】
なお、上記実施形態では、カートリッジ本体から引き出した写真フイルムをロール状に巻いてフイルムロール室に装填するようにしたが、カートリッジ本体とフイルムロールとを別々に装填してから、写真フイルムの端部をカートリッジ本体に向けて送り出し、フイルム出入り口に挿入してスプールに係止することもできる。
【００８６】
また、巻上げダイヤルの係合部を突起対に構成したが、キー穴やローレット状の溝が内面に形成された穴等でもよい。更に底蓋の開放時に底蓋側の係合爪を破壊するようにしたが、連結棒の被係合爪が破壊されるようにしたり、連結棒自体を折ることもできる。
【００８７】
【発明の効果】
以上説明したように、本発明は、駆動軸とバネとをカートリッジ室の上面に組み付けた後に、駆動軸をバネの付勢に抗して遮光蓋の開き位置に回動させて仮止めするようにしたので、従来のレンズ付きフイルムユニットと同様に、遮光蓋が開き位置にあるフイルムカートリッジを軸方向からカートリッジ室に装填することができる。また、写真フイルムは巻取り軸に巻き付けてフイルムロールとし、このフイルムロールをフイルムカートリッジよりもレンズ付きフイルムユニットの背面側から離れた位置に配置しておき、背面側からフイルムロール室に装填するようにしたので、フイルムカートリッジの装填時にカートリッジ室等と干渉せずに装填することができる。また、後カバーを組み付けた後に巻取り軸を抜き取るようにしたので、フイルムロールが巻き緩んで後カバーが組み付けられなくなることはない。
【００８８】
また、駆動軸の仮止めに連結棒と係止レバーとを用いる場合、連結棒に突起を設け、更にこの突起があっても連結棒のスライドが可能となるように突起の間にスリットを設けたので、連結棒の位置ずれがなく効率よく組み付けを行うことができる。更に、遮光蓋の閉じ位置に回動された係止レバーが当接するストッパーをカートリッジ室上面に設けたので、駆動軸の組み付けも容易になる。また、係止レバーと連結棒とを互いの凸部同士で係合させるようにしたので、駆動軸の遮光蓋の開き位置での保持は確実なものとなる。
【００８９】
また、底蓋の遮光壁は、遮光蓋が完全に閉じられるまでカートリッジ室の底面を光密に遮光し続ける高さを有しているので、写真フイルムが曝光されるようなことはない。
【００９０】
更に、底蓋の開放時に、突出片によって係合爪を破壊するようにしたので、使用後のレンズ付きフイルムユニットへのフイルムカートリッジの不用意な詰め替えを防止できる。
【図面の簡単な説明】
【図１】遮光蓋回動機構の構成を示す分解斜視図である。
【図２】フイルムカートリッジの一例を示す外観斜視図である。
【図３】遮光蓋開放状態にあるフイルムカートリッジの要部断面図である。
【図４】遮光蓋閉鎖状態にあるフイルムカートリッジの要部断面図である。
【図５】遮光蓋開放時の係合部の状態を示す側面図である。
【図６】遮光蓋閉鎖時の係合部の状態を示す側面図である。
【図７】写真フイルムの正面図である。
【図８】本発明のレンズ付きフイルムユニットの外観斜視図である。
【図９】ユニット本体の構成を示す分解斜視図である。
【図１０】連結棒の組み付け状態を示す正面図である。
【図１１】フイルムカートリッジ装填時の遮光蓋回動機構の状態を示す側面図である。
【図１２】フイルムカートリッジ装填時の遮光蓋回動機構の状態を示す平面図である。
【図１３】底蓋開放途中の遮光蓋回動機構の状態を示す側面図である。
【図１４】底蓋開放途中の遮光蓋回動機構の状態を示す平面図である。
【図１５】開放途中の底蓋の状態を示す側面図である。
【図１６】露光ユニットの構成部品の一部を示す分解斜視図である。
【図１７】チャージ時又はレリーズ直後のスプロケットの状態を示す平面図である。
【図１８】本体基部への組込み時のスプロケットの状態を示す平面図である。
【図１９】係止レバーと連結棒との係合作業中の遮光蓋回動機構の状態を示す平面図である。
【図２０】係止レバーと連結棒との係合作業中の遮光蓋回動機構の状態を示す側面図である。
【図２１】フイルム装填工程の構成を示す分解斜視図である。
【図２２】フイルム装填中のユニット本体の要部断面図である。
【符号の説明】
２  フイルムカートリッジ
５  カートリッジ本体
６  写真フイルム
７  スプール
１０  フイルム出入り口
１１  遮光蓋
２０，２１，２３  パーフォレーション
２５  レンズ付きフイルムユニット
２６  ユニット本体
３５  前カバー
３６  後カバー
３７  本体基部
３８  露光ユニット
４２  フイルムロール
４３  カートリッジ室
４４  フイルムロール室
４６  底蓋
５１  巻上げダイヤル
５７  駆動軸
５９  係止レバー
６０  バネ
６８  連結棒
６９  レール部
８９  スプロケット
１１２  フイルム装填装置
１１３  巻上げダイヤル位置調節装置
【図１】
0003665125.tif 000002
【図２】
0003665125.tif 000003
【図３】
0003665125.tif 000004
【図４】
0003665125.tif 000005
【図５】
0003665125.tif 000006
【図６】
0003665125.tif 000007
【図７】
0003665125.tif 000008
【図８】
0003665125.tif 000009
【図９】
0003665125.tif 000010
【図１０】
0003665125.tif 000011
【図１１】
0003665125.tif 000012
【図１２】
0003665125.tif 000013
【図１３】
0003665125.tif 000014
【図１４】
0003665125.tif 000015
【図１５】
0003665125.tif 000016
【図１６】
0003665125.tif 000017
【図１７】
0003665125.tif 000018
【図１８】
0003665125.tif 000019
【図１９】
0003665125.tif 000020
【図２０】
0003665125.tif 000021
【図２１】
0003665125.tif 000022
【図２２】
0003665125.tif 000023